(57)【要約】  同時動作可能な複数のＲＦ信号送信機及びＲＦ信号受信機を有する、無線周波数（ＲＦ）データパケット信号トランシーバ被試験装置（ＤＵＴ）を試験するための方法。複数のＲＦ信号伝送、複数のＲＦ信号受信、又はＲＦ信号の送受信が少なくとも部分的に同時に行われるように、テスタからＤＵＴの個々のＲＦ信号受信機への複数の一連の試験データパケット、及びＤＵＴの個々のＲＦ信号送信機からテスタへの複数の一連の応答ＤＵＴデータパケットが伝達される。
2019502308.tif 000002
【特許請求の範囲】
【請求項１】
無線周波数（ＲＦ）データパケット信号トランシーバ被試験装置（ＤＵＴ）を試験するための方法であって、
前記ＤＵＴは、同時動作可能な少なくとも第１のＲＦ信号送信機及び第２のＲＦ信号送信機並びに第１のＲＦ信号受信機及び第２のＲＦ信号受信機を有し、
前記方法は、
一連の第１の複数の試験データパケットを含む第１のＲＦ試験データパケット信号を送信するステップと、
前記第１のＲＦ試験データパケット信号の１つ以上の部分に応答して第１のＲＦ  ＤＵＴデータパケット信号を前記第１のＲＦ信号送信機から受信するステップであって、第１のＲＦ  ＤＵＴデータパケット信号は、前記一連の第１の複数の試験データパケットの１つ以上の部分に関係する一連の第１の複数のＤＵＴデータパケットを含むステップと、
一連の第２の複数の試験データパケットを含む第２のＲＦ試験データパケット信号を送信するステップと、
前記第２のＲＦ試験データパケット信号の１つ以上の部分に応答して第２のＲＦ  ＤＵＴデータパケット信号を前記第２のＲＦ信号送信機から受信するステップであって、前記第２のＲＦ  ＤＵＴデータパケット信号は、前記一連の第２の複数の試験データパケットの１つ以上の部分に関係する一連の第２の複数のＤＵＴデータパケットを含むステップと
を含み、
前記第１の複数のＤＵＴデータパケットの少なくとも一部のそれぞれが、前記第２の複数の試験データパケットの少なくとも一部のそれぞれの送信と少なくとも部分的に同時に受信され、
前記第２の複数のＤＵＴデータパケットの少なくとも一部のそれぞれが、前記第１の複数の試験データパケットの少なくとも一部のそれぞれの送信と少なくとも部分的に同時に受信される、方法。
【請求項２】
前記第１の複数の試験データパケットの少なくとも一部のそれぞれが、前記第２の複数の試験データパケットの少なくとも一部のそれぞれと等しい持続時間を有する、請求項１に記載の方法。
【請求項３】
前記第１の複数の試験データパケットの少なくとも一部のそれぞれが、前記第２の複数の試験データパケットの少なくとも一部のそれぞれよりも短い持続時間を有する、請求項１に記載の方法。
【請求項４】
前記第１の複数の試験データパケットの少なくとも一部のそれぞれが、前記第２の複数の試験データパケットの少なくとも一部のそれぞれの送信と少なくとも部分的に同時に送信される、請求項１に記載の方法。
【請求項５】
前記第１の複数のＤＵＴデータパケット及び前記第２の複数のＤＵＴデータパケットのそれぞれが相互排他的な時間間隔の間に受信される、請求項１に記載の方法。
【請求項６】
無線周波数（ＲＦ）データパケット信号トランシーバ被試験装置（ＤＵＴ）を試験するための方法であって、
前記ＤＵＴは、同時動作可能な少なくとも第１のＲＦ信号送信機及び第２のＲＦ信号送信機並びに第１のＲＦ信号受信機及び第２のＲＦ信号受信機を有し、
前記方法は、
一連の第１の複数の試験データパケットを含む第１のＲＦ試験データパケット信号を送信するステップと、
前記第１のＲＦ試験データパケット信号の１つ以上の部分に応答して第１のＲＦ  ＤＵＴデータパケット信号を前記第１のＲＦ信号送信機から受信するステップであって、前記第１のＲＦ  ＤＵＴデータパケット信号は、前記一連の第１の複数の試験データパケットの１つ以上の部分に関係する一連の第１の複数のＤＵＴデータパケットを含むステップと、
一連の第２の複数の試験データパケットを含む第２のＲＦ試験データパケット信号を送信するステップと、
前記第２のＲＦ試験データパケット信号の１つ以上の部分に応答して第２のＲＦ  ＤＵＴデータパケット信号を前記第２のＲＦ信号送信機から受信するステップであって、前記第２のＲＦ  ＤＵＴデータパケット信号は、前記一連の第２の複数の試験データパケットの１つ以上の部分に関係する一連の第２の複数のＤＵＴデータパケットを含むステップと
を含み、
前記第１の複数のＤＵＴデータパケットの少なくとも一部のそれぞれが、前記第２の複数の試験データパケットの少なくとも一部のそれぞれの送信と少なくとも部分的に同時に受信され、
前記第１の複数のＤＵＴデータパケット及び前記第２の複数のＤＵＴデータパケットは相互排他的な時間間隔の間に受信される、方法。
【請求項７】
前記第１の複数の試験データパケットの少なくとも一部のそれぞれが第１の持続時間を有し、
前記第２の複数の試験データパケットの少なくとも一部のそれぞれが第２の持続時間を有し、
前記第１の持続時間及び前記第２の持続時間は等しくない、請求項６に記載の方法。
【請求項８】
前記第１の複数の試験データパケットの少なくとも一部のそれぞれが、前記第２の複数の試験データパケットの少なくとも一部のそれぞれの送信と少なくとも部分的に同時に送信される、請求項６に記載の方法。
【請求項９】
前記第１の複数の試験データパケット及び前記第２の複数の試験データパケットは相互排他的な時間間隔の間に送信される、請求項６に記載の方法。
【請求項１０】
無線周波数（ＲＦ）データパケット信号トランシーバ被試験装置（ＤＵＴ）を試験するための方法であって、
前記ＤＵＴは、同時動作可能な少なくとも第１のＲＦ信号送信機及び第２のＲＦ信号送信機並びに第１のＲＦ信号受信機及び第２のＲＦ信号受信機を有し、
前記方法は、
一連の第１の複数の試験データパケットを含む第１のＲＦ試験データパケット信号を送信するステップと、
前記第１のＲＦ試験データパケット信号の１つ以上の部分に応答して第１のＲＦ  ＤＵＴデータパケット信号を前記第１のＲＦ信号送信機から受信するステップであって、前記第１のＲＦ  ＤＵＴデータパケット信号は、前記一連の第１の複数の試験データパケットの１つ以上の部分に関係する一連の第１の複数のＤＵＴデータパケットを含むステップと、
一連の第２の複数の試験データパケットを含む第２のＲＦ試験データパケット信号を送信するステップと、
前記第２のＲＦ試験データパケット信号の１つ以上の部分に応答して第２のＲＦ  ＤＵＴデータパケット信号を前記第２のＲＦ信号送信機から受信するステップであって、前記第２のＲＦ  ＤＵＴデータパケット信号は、前記一連の第２の複数の試験データパケットの１つ以上の部分に関係する一連の第２の複数のＤＵＴデータパケットを含むステップと
を含み、
前記第１の複数の試験データパケットの少なくとも一部のそれぞれが、前記第２の複数の試験データパケットの少なくとも一部のそれぞれの送信と少なくとも部分的に同時に送信され、
前記第１の複数のＤＵＴデータパケットの少なくとも一部のそれぞれが、前記第２の複数のＤＵＴデータパケットの少なくとも一部のそれぞれの受信と少なくとも部分的に同時に受信される、
方法。
【請求項１１】
前記第１の複数の試験データパケットの少なくとも一部のそれぞれが第１の持続時間を有し、
前記第２の複数の試験データパケットの少なくとも一部のそれぞれが第２の持続時間を有し、
前記第１の持続時間及び前記第２の持続時間は等しい、請求項１０に記載の方法。
【発明の詳細な説明】
【技術分野】
【０００１】
本願は、参照によりその開示を本明細書に明確に援用する、２０１５年１２月１１日に出願された米国特許出願第１４／９６６，７６１号明細書の優先権を主張する。
【０００２】
本発明は、無線周波数（ＲＦ）データパケット信号トランシーバを試験することに関し、具体的には同時動作可能な複数の送信機及び受信機を有するかかる装置を試験することに関する。
【背景技術】
【０００３】
今日の電子装置の多くは接続性及び通信の両方のために無線信号技術を使用する。無線装置は電磁エネルギを送受信し、２つ以上の無線装置がその信号周波数及び電力スペクトル密度によって互いの動作と干渉する可能性があるので、これらの装置及びこれらの装置の無線信号技術は様々な無線信号技術の標準仕様に準拠しなければならない。
【０００４】
かかる無線装置を設計するとき、エンジニアはかかる装置が含まれる無線信号技術によって規定される標準に基づく仕様のそれぞれをかかる装置が満たし又は上回ることを確実にするために格別の注意を払う。更に、それらの装置が後で多量に製造されるとき、含まれる無線信号技術の標準に基づく仕様への準拠を含め、製造欠陥が不適切な動作を引き起こさないことを確実にするためにそれらの装置は試験される。
【０００５】
その製造及び組立後にこれらの装置を試験するために、現在の無線装置試験システムは、各被試験装置（ＤＵＴ）に試験信号を与え、各ＤＵＴから受信される信号を解析するための試験サブシステムを概して使用する。一部のサブシステム（「テスタ」と呼ばれることが多い）は、ＤＵＴに送信すべきソース又は試験信号を提供するための１つ以上のベクトル信号発生器（ＶＳＧ）、及びＤＵＴが作り出す信号を解析するための１つ以上のベクトル信号解析器（ＶＳＡ）を含む。ＶＳＧによる試験信号の生成及びＶＳＡが行う信号解析は、様々な周波数範囲、帯域幅、及び信号変調特性を有する多岐にわたる無線信号技術標準への準拠について様々な装置を試験するためにそのそれぞれを使用できるようにするために、（例えば内部のプログラム可能コントローラやパーソナルコンピュータ等の外部のプログラム可能コントローラを使用することによって）概してプログラム可能である。
【０００６】
無線装置を試験することは、無線装置の受信及び送信サブシステムを試験することを概して含む。テスタは、典型的には例えば様々な周波数、電力レベル、及び／又は変調技術を使用して一連の規定の試験データパケット信号をＤＵＴに送信し、ＤＵＴの受信サブシステムが適切に動作しているかどうかを判定する。同様に、ＤＵＴは様々な周波数、電力レベル、及び／又は変調技術において試験データパケット信号を送信し、ＤＵＴの送信サブシステムが適切に動作しているかどうかを判定する。
【０００７】
かかる無線装置は、同じ又は異なる信号帯域内の複数の送信機、複数の受信機、並びに／又は送信機及び受信機両方の同時動作を益々サポートしており、かかる同時動作を実行するために装置内の単一の集積回路（ＩＣ）コンポーネントを多くの場合使用する。試験の観点から、これらの同時動作はあり得る欠陥を識別するために製造中に試験しなければならない新たな潜在的な装置性能問題を提起する。例えば２つの送信機が同時に動作している場合、システム電源に対する電力需要が増加し、搬送波信号及び／又は周波数アップコンバージョン若しくはダウンコンバージョン信号を提供する電圧制御発振器（ＶＣＯ）の動作周波数の「プッシング」又は「プリング」を引き起こし得る。そのように電力需要が増加することは、送信信号の電力を限定し又は低減する可能性もある。
【０００８】
更に、同じＩＣ内の第２のトランシーバが送信している間に或るトランシーバが受信している事例では、とりわけ導電（有線）信号伝達ではなく放射（無線）信号伝達を使用する場合、送信信号が受信機内のブロッキングを引き起こし得る。送信信号は更に、ＶＣＯの周波数をプルするのに十分な影響を電源電圧レベルに及ぼし得るので、受信機内の信号利得の変化を引き起こす。
【発明の概要】
【発明が解決しようとする課題】
【０００９】
従って、自らの複数の送信機、複数の受信機、並びに／又は送信機及び受信機両方の同時動作について設計される、複数のＲＦ信号送信機及び受信機を有する無線装置を確実に試験できるようにする技法を有することが望ましい。
【課題を解決するための手段】
【００１０】
本明細書に記載の本発明によれば、同時動作可能な複数のＲＦ信号送信機及びＲＦ信号受信機を有する、無線周波数（ＲＦ）データパケット信号トランシーバ被試験装置（ＤＵＴ）を試験するための方法が提供される。複数のＲＦ信号送信、複数のＲＦ信号受信、又はＲＦ信号の送受信が少なくとも部分的に同時に行われるように、テスタからＤＵＴの個々のＲＦ信号受信機に複数の一連の試験データパケットを伝達し、ＤＵＴの個々のＲＦ信号送信機からテスタに複数の一連の応答ＤＵＴデータパケットを伝達する。
【００１１】
本明細書に記載の本発明の一実施形態によれば、同時動作可能な少なくとも第１のＲＦ信号送信機及び第２のＲＦ信号送信機並びに第１のＲＦ信号受信機及び第２のＲＦ信号受信機を有する、無線周波数（ＲＦ）データパケット信号トランシーバ被試験装置（ＤＵＴ）を試験するための方法であって、
一連の第１の複数の試験データパケットを含む第１のＲＦ試験データパケット信号を送信するステップと、
第１のＲＦ試験データパケット信号の１つ以上の部分に応答し且つ一連の第１の複数の試験データパケットの１つ以上の部分に関係する一連の第１の複数のＤＵＴデータパケットを含む、第１のＲＦ  ＤＵＴデータパケット信号を第１のＲＦ信号送信機から受信するステップと、
一連の第２の複数の試験データパケットを含む第２のＲＦ試験データパケット信号を送信するステップと、
第２のＲＦ試験データパケット信号の１つ以上の部分に応答し且つ一連の第２の複数の試験データパケットの１つ以上の部分に関係する一連の第２の複数のＤＵＴデータパケットを含む、第２のＲＦ  ＤＵＴデータパケット信号を第２のＲＦ信号送信機から受信するステップと
を含み、
第１の複数のＤＵＴデータパケットの少なくとも一部のそれぞれが、第２の複数の試験データパケットの少なくとも一部のそれぞれの送信と少なくとも部分的に同時に受信され、
第２の複数のＤＵＴデータパケットの少なくとも一部のそれぞれが、第１の複数の試験データパケットの少なくとも一部のそれぞれの送信と少なくとも部分的に同時に受信される。
【００１２】
本明細書に記載の本発明の別の実施形態によれば、同時動作可能な少なくとも第１のＲＦ信号送信機及び第２のＲＦ信号送信機並びに第１のＲＦ信号受信機及び第２のＲＦ信号受信機を有する、無線周波数（ＲＦ）データパケット信号トランシーバ被試験装置（ＤＵＴ）を試験するための方法であって、
一連の第１の複数の試験データパケットを含む第１のＲＦ試験データパケット信号を送信するステップと、
第１のＲＦ試験データパケット信号の１つ以上の部分に応答し且つ一連の第１の複数の試験データパケットの１つ以上の部分に関係する一連の第１の複数のＤＵＴデータパケットを含む、第１のＲＦ  ＤＵＴデータパケット信号を第１のＲＦ信号送信機から受信するステップと、
一連の第２の複数の試験データパケットを含む第２のＲＦ試験データパケット信号を送信するステップと、
第２のＲＦ試験データパケット信号の１つ以上の部分に応答し且つ一連の第２の複数の試験データパケットの１つ以上の部分に関係する一連の第２の複数のＤＵＴデータパケットを含む、第２のＲＦ  ＤＵＴデータパケット信号を第２のＲＦ信号送信機から受信するステップと
を含み、
第１の複数のＤＵＴデータパケットの少なくとも一部のそれぞれが、第２の複数の試験データパケットの少なくとも一部のそれぞれの送信と少なくとも部分的に同時に受信され、第１の複数のＤＵＴデータパケット及び第２の複数のＤＵＴデータパケットが相互排他的な時間間隔の間に受信される。
【００１３】
本明細書に記載の本発明の別の実施形態によれば、同時動作可能な少なくとも第１のＲＦ信号送信機及び第２のＲＦ信号送信機並びに第１のＲＦ信号受信機及び第２のＲＦ信号受信機を有する、無線周波数（ＲＦ）データパケット信号トランシーバ被試験装置（ＤＵＴ）を試験するための方法であって、
一連の第１の複数の試験データパケットを含む第１のＲＦ試験データパケット信号を送信するステップと、
第１のＲＦ試験データパケット信号の１つ以上の部分に応答し且つ一連の第１の複数の試験データパケットの１つ以上の部分に関係する一連の第１の複数のＤＵＴデータパケットを含む、第１のＲＦ  ＤＵＴデータパケット信号を第１のＲＦ信号送信機から受信するステップと、
一連の第２の複数の試験データパケットを含む第２のＲＦ試験データパケット信号を送信するステップと、
第２のＲＦ試験データパケット信号の１つ以上の部分に応答し且つ一連の第２の複数の試験データパケットの１つ以上の部分に関係する一連の第２の複数のＤＵＴデータパケットを含む、第２のＲＦ  ＤＵＴデータパケット信号を第２のＲＦ信号送信機から受信するステップと
を含み、
第１の複数の試験データパケットの少なくとも一部のそれぞれが、第２の複数の試験データパケットの少なくとも一部のそれぞれの送信と少なくとも部分的に同時に送信され、
第１の複数のＤＵＴデータパケットの少なくとも一部のそれぞれが、第２の複数のＤＵＴデータパケットの少なくとも一部のそれぞれの受信と少なくとも部分的に同時に受信される。
【００１４】
本明細書に記載の本発明の別の実施形態によれば、同時動作可能な少なくとも第１のＲＦ信号送信機及び第２のＲＦ信号送信機並びに第１のＲＦ信号受信機及び第２のＲＦ信号受信機を有する、無線周波数（ＲＦ）データパケット信号トランシーバ被試験装置（ＤＵＴ）を試験するための方法であって、
一連の第１の複数の試験データパケットを含む第１のＲＦ試験データパケット信号を第１のＲＦ信号受信機を用いて受信するステップと、
第１のＲＦ試験データパケット信号の１つ以上の部分に応答し且つ一連の第１の複数の試験データパケットの１つ以上の部分に関係する一連の第１の複数のＤＵＴデータパケットを含む、第１のＲＦ  ＤＵＴデータパケット信号を第１のＲＦ信号送信機を用いて送信するステップと、
一連の第２の複数の試験データパケットを含む第２のＲＦ試験データパケット信号を第２のＲＦ信号受信機を用いて受信するステップと、
第２のＲＦ試験データパケット信号の１つ以上の部分に応答し且つ一連の第２の複数の試験データパケットの１つ以上の部分に関係する一連の第２の複数のＤＵＴデータパケットを含む、第２のＲＦ  ＤＵＴデータパケット信号を第２のＲＦ信号送信機を用いて送信するステップと
を含み、
第１の複数のＤＵＴデータパケットの少なくとも一部のそれぞれが、第２の複数の試験データパケットの少なくとも一部のそれぞれの送信と少なくとも部分的に同時に受信され、
第２の複数のＤＵＴデータパケットの少なくとも一部のそれぞれが、第１の複数の試験データパケットの少なくとも一部のそれぞれの送信と少なくとも部分的に同時に受信される。
【００１５】
本明細書に記載の本発明の別の実施形態によれば、同時動作可能な少なくとも第１のＲＦ信号送信機及び第２のＲＦ信号送信機並びに第１のＲＦ信号受信機及び第２のＲＦ信号受信機を有する、無線周波数（ＲＦ）データパケット信号トランシーバ被試験装置（ＤＵＴ）を試験するための方法であって、
一連の第１の複数の試験データパケットを含む第１のＲＦ試験データパケット信号を第１のＲＦ信号受信機を用いて受信するステップと、
第１のＲＦ試験データパケット信号の１つ以上の部分に応答し且つ一連の第１の複数の試験データパケットの１つ以上の部分に関係する一連の第１の複数のＤＵＴデータパケットを含む、第１のＲＦ  ＤＵＴデータパケット信号を第１のＲＦ信号送信機を用いて送信するステップと、
一連の第２の複数の試験データパケットを含む第２のＲＦ試験データパケット信号を第２のＲＦ信号受信機を用いて受信するステップと、
第２のＲＦ試験データパケット信号の１つ以上の部分に応答し且つ一連の第２の複数の試験データパケットの１つ以上の部分に関係する一連の第２の複数のＤＵＴデータパケットを含む、第２のＲＦ  ＤＵＴデータパケット信号を第２のＲＦ信号送信機を用いて送信するステップと
を含み、
第１の複数のＤＵＴデータパケットの少なくとも一部のそれぞれが、第２の複数の試験データパケットの少なくとも一部のそれぞれの送信と少なくとも部分的に同時に受信され、第１の複数のＤＵＴデータパケット及び第２の複数のＤＵＴデータパケットが相互排他的な時間間隔の間に受信される。
【００１６】
本明細書に記載の本発明の別の実施形態によれば、同時動作可能な少なくとも第１のＲＦ信号送信機及び第２のＲＦ信号送信機並びに第１のＲＦ信号受信機及び第２のＲＦ信号受信機を有する、無線周波数（ＲＦ）データパケット信号トランシーバ被試験装置（ＤＵＴ）を試験するための方法であって、
一連の第１の複数の試験データパケットを含む第１のＲＦ試験データパケット信号を第１のＲＦ信号受信機を用いて受信するステップと、
第１のＲＦ試験データパケット信号の１つ以上の部分に応答し且つ一連の第１の複数の試験データパケットの１つ以上の部分に関係する一連の第１の複数のＤＵＴデータパケットを含む、第１のＲＦ  ＤＵＴデータパケット信号を第１のＲＦ信号送信機を用いて送信するステップと、
一連の第２の複数の試験データパケットを含む第２のＲＦ試験データパケット信号を第２のＲＦ信号受信機を用いて受信するステップと、
第２のＲＦ試験データパケット信号の１つ以上の部分に応答し且つ一連の第２の複数の試験データパケットの１つ以上の部分に関係する一連の第２の複数のＤＵＴデータパケットを含む、第２のＲＦ  ＤＵＴデータパケット信号を第２のＲＦ信号送信機を用いて送信するステップと
を含み、
第１の複数の試験データパケットの少なくとも一部のそれぞれが、第２の複数の試験データパケットの少なくとも一部のそれぞれの送信と少なくとも部分的に同時に送信され、
第１の複数のＤＵＴデータパケットの少なくとも一部のそれぞれが、第２の複数のＤＵＴデータパケットの少なくとも一部のそれぞれの受信と少なくとも部分的に同時に受信される。
【図面の簡単な説明】
【００１７】
【図１】無線信号トランシーバのための典型的な動作環境及び潜在的試験環境を示す。
【図２】導電試験信号経路を使用する、無線信号トランシーバのための試験環境を示す。
【図３】本明細書に記載の本発明の例示的実施形態による、同時動作可能な複数のＲＦ信号送信機及びＲＦ信号受信機を有する、無線周波数（ＲＦ）データパケット信号トランシーバ被試験装置（ＤＵＴ）を試験するための試験環境を示す。
【図４】２つのＤＵＴトランシーバが同時に送信している間の試験間隔を示す。
【図５】ＤＵＴ送信機及びＤＵＴ受信機が少なくとも部分的に同時に送受信している間の試験間隔を示す。
【図６】２つのＤＵＴ受信機が同時に動作しており、干渉する送信受信確認信号を作り出している試験間隔を示す。
【図７】２つのＤＵＴ受信機が同時に動作しており、干渉する送信受信確認信号を作り出している別の試験間隔を示す。
【図８】２つのＤＵＴ受信機が同時に動作しており、同時発生する送信受信確認信号を作り出している試験間隔を示す。
【発明を実施するための形態】
【００１８】
以下の詳細な説明は、添付図面に関する本明細書に記載の本発明の実施形態例についてのものである。この説明は、本発明の範囲に関して限定的ではなく例示的であることを意図する。かかる実施形態は、当業者が本発明を実践できるようにするために十分詳しく説明されており、本発明の趣旨又は範囲から逸脱することなしに幾らかの改変と共に他の実施形態が実践され得ることが理解されよう。
【００１９】
本開示の全体を通して、文脈から明確に逆に示されることがない場合、記載されている個々の回路要素の数は単数でも複数でも良いことが理解されよう。例えば、「回路」及び「回路構成」という用語は、能動及び／又は受動であり、記載する機能を提供するために一緒に（例えば１つ以上の集積回路チップとして）接続され或いは結合される単一のコンポーネント又は複数のコンポーネントを含み得る。加えて「信号」という用語は、１つ以上の電流、１つ以上の電圧、又はデータ信号を指し得る。図中、同様の又は関係する要素は同様の又は関係する英字、数字、又は英数字の識別子を有する。更に、本発明は（好ましくは１つ以上の集積回路チップ形式の）ディスクリート電子回路構成を用いた実装形態の文脈で解説するが、処理しようとする信号周波数又はデータ転送速度に応じて、かかる回路構成の如何なる部分の機能も１個又は複数個の適切にプログラムされたプロセッサを使用して代わりに実装することができる。更に、図面が様々な実施形態の機能ブロックの図解を示す限りにおいて、機能ブロックは必ずしもハードウェア回路構成間の区分を示すものではない。
【００２０】
携帯電話、スマートフォン、タブレット等の無線装置は標準に基づく技術（例えばＩＥＥＥ  ８０２．１１ａ／ｂ／ｇ／ｎ／ａｃ、３ＧＰＰ  ＬＴＥ、Ｂｌｕｅｔｏｏｔｈ（登録商標））を利用する。これらの技術の基礎を成す標準は高信頼の無線の接続性及び／又は通信をもたらすように設計されている。それらの標準は、エネルギ効率が良いように且つ隣接し又は無線スペクトルを共用する同じ技術又は他の技術を使用する装置間の干渉を最小限にするように概して設計される物理的仕様及び高水準の仕様を規定する。
【００２１】
これらの標準によって規定される試験は、標準によって規定される仕様に準拠するようにかかる装置が設計されていること、及び製造される装置がそれらの規定の仕様に準拠し続けることを確実にすることを意図する。殆どの装置は少なくとも１つ以上の受信機及び送信機を含むトランシーバである。従って試験は、受信機及び送信機の両方が準拠するかどうかを確認することを意図する。ＤＵＴの受信機の試験（ＲＸ試験）は、受信機に試験パケットを送信する試験システム（テスタ）、及びその試験パケットにＤＵＴ受信機がどのように応答するのかを明らかにする何らかの方法を概して含む。ＤＵＴの送信機は、試験システムにパケットを送信させることによって試験され、試験システムは次にＤＵＴによって送信される信号の物理的特性を評価する。
【００２２】
以下でより詳細に論じるように、本明細書に記載の本発明の例示的実施形態によれば、無線周波数（ＲＦ）信号トランシーバの非同期性の同時の多帯域動作を試験するための方法が提供されている。本明細書に記載の本発明によれば、かかる試験方法は、第２の周波数帯域内のＤＵＴ動作と同時に生じる或る周波数帯域内の干渉するＤＵＴ信号送信として、正しく受信されたデータパケットに対するＤＵＴの送信された応答（例えば受信確認データパケットや「ＡＣＫ」信号）を使用することでテスタによって効果的に制御される。従って、ＤＵＴの応答時間は典型的には特定のタイミング要件によって定められるので、テスタはＤＵＴからのタイミングを制御することができる。
【００２３】
テスタは、複数のＤＵＴ受信機が受信するための同時の試験データパケット信号を与えるために協調的に動作可能な複数の試験データパケット信号源（例えば複数のＶＳＧ）を好ましくは含む。試験データパケット信号の持続時間に対する様々な時間間隔においてＡＣＫ信号による干渉が別のＤＵＴ受信機によって受信される試験データパケット信号と同時に生じることを確実にするために、試験データパケット信号のタイミング並びに試験データパケット信号の特性が、ＤＵＴからのＡＣＫ信号のタイミング及び重なりに要求される制御を可能にし、それによりかかる干渉信号に関係する問題を識別できるようにする。試験データパケット信号とＡＣＫ信号との間のかかる潜在的干渉を正確に制御することは複数の装置の反復的な試験測定を可能にし、最悪のシナリオも保証しながら高信頼の試験を確実にし得る。
【００２４】
図１を参照し、無線信号トランシーバの（少なくとも実世界での動作をシミュレートすることに関する）典型的な動作環境及び理想的な試験環境は、テスタ１００とＤＵＴ２００とを無線で通信させる。典型的には、有線信号インタフェース１１ａ、１１ｂを介してテスタ１００及びＤＵＴ２００と試験コマンド及びデータをやり取りするために、何らかの形の試験コントローラ１０（例えばパーソナルコンピュータ）も使用される。テスタ１００及びＤＵＴ２００は、導電信号コネクタ１０４、２０４（例えばその多くの種類が当技術分野で良く知られている同軸ケーブル接続）によって接続する１つ（又はＭＩＭＯ装置では複数）の個々のアンテナ１０２、２０２をそれぞれ有する。試験信号（ソース及び応答）は、アンテナ１０２、２０２を介してテスタ１００とＤＵＴ２００との間で無線伝達される。例えばＤＵＴ２００の送信（ＴＸ）試験中、電磁信号２０３がＤＵＴのアンテナ２０２から放射される。アンテナの放射パターンの指向性にもよるが、この信号２０３は様々な方向に放射し、入射信号成分２０３ｉ及び反射信号成分２０３ｒがテスタのアンテナ１０２によって受信されることになる。上記のように、多くの場合マルチパス信号効果並びに他の場所（不図示）で生じる他の電磁信号の成果物であるこれらの反射信号成分２０３ｒは、建設的信号干渉及び相殺的信号干渉を引き起こし、それにより高信頼且つ再現可能な信号受信及び試験結果を妨げる。
【００２５】
図２を参照し、そのような信頼できない試験結果を回避するために、ＲＦ同軸ケーブル１０６等の導電信号経路を使用してテスタ１００及びＤＵＴ２００のアンテナコネクタ１０４、２０４を接続し、テスタ１００とＤＵＴ２００との間で試験信号を伝達するための一貫した高信頼且つ再現可能な導電性信号経路を設ける。しかし、上記で論じたように、導電信号経路を使用することは試験前及び試験後にケーブル１０６を接続し切断するのにかかる時間が原因で全体的な試験時間を増加させる。
【００２６】
図３を参照し、上記のように本明細書に記載の本発明による試験方法は、複数の試験データパケット信号源及び受信機を有するテスタ１００ａ、並びに複数のデータパケット信号の送信機及び受信機を同じく有するＤＵＴ２００ａを使用して有利に実践することができる。例えばテスタ１００ａは、ＲＦ信号スイッチ、カップラ、ダイプレクサ等の信号結合装置１１６ａ、１１６ｂを介して信号経路１０６ａ、１０６ｂに接続される複数の試験データパケット信号源（例えばＶＳＧ）１１４ａ、１１４ｂ、及び複数のデータパケット受信機（例えばＶＳＡ）１１２ａ、１１２ｂを含む。同様に各ＤＵＴ２００ａは、ＲＦ信号結合回路２１６ａ、２１６ｂを介して試験信号経路１０６ａ、１０６ｂにやはり接続される複数の信号送信機２１２ａ、２１２ｂ及び複数の信号受信機２１４ａ、２１４ｂを含む。
【００２７】
図４を参照し、データパケット信号を同時に送信するように２つのＤＵＴトランシーバが制御される場合、他方に対する各信号送信ＴＸ１、ＴＸ２のデューティサイクルを変えることにより、両方の信号送信ＴＸ１、ＴＸ２が少なくとも部分的に同時である時間部分を変更することができる。従って信号送信ＴＸ１、ＴＸ２は、図示のように時間間隔ｔ１、ｔ２、ｔ３、ｔ４、ｔ５の間、少なくとも部分的に同時の信号間隔を有し得る。これらの信号送信ＴＸ１、ＴＸ２が十分な持続時間続く場合、２つの発信元の信号送信機は、徐々に位置がシフトする少なくとも部分的に同時の送信間隔を有するデータパケット信号を送信することになる。
【００２８】
例えば第１の時間間隔ｔ１の間、第１の信号送信ＴＸ１はその全信号時間の間、第２の信号送信ＴＸ２の一部と同時になる。その後の時間間隔ｔ４に続いて、第２の信号送信ＴＸ２は、第２の信号送信ＴＸ２の完全な信号周期に及ぶ第１の送信信号ＴＸ１と同時の信号間隔を有している。これらの同時の信号送信中、規定の標準仕様又は限界を満たさない程に十分劣化したレベル、値、又は質を有する送信信号特性を同時送信動作が引き起こしたかどうかを判定するために、テスタの信号解析サブシステムが各信号の誤りベクトル度（ＥＶＭ）等、これらの信号送信ＴＸ１、ＴＸ２の特性を評価していても良い。このように同時の信号送信ＴＸ１、ＴＸ２を用いて確実に試験できることは、信号の電力レベルを増減（例えば増加又は減少）させるとき特に有利である。
【００２９】
かかる試験方法は貴重な試験結果を与え得るが、２つの信号送信ＴＸ１、ＴＸ２の相対位置を識別してそれらの信号間の任意の相互作用を適切に検出することを確実にできる場合、更なる利益を実現することができる。更に、２つのＤＵＴ送信機は非同期式に動作するので、一方のＤＵＴから他方のＤＵＴまでデータパケット信号間隔の同一重複条件を維持できることを確実にすることが望ましい。
【００３０】
ＥＶＭを記号ごとに解析することは、影響を受けない記号を省きながら影響を受けた記号を解析に使用できる限りにおいて少なくとも部分的補償を提供し得る。しかし、全ての捕捉パケットが所望の数の影響を受けた記号を作り出すとは限らないので、ＥＶＭ計算に関する十分な平均化を可能にするために更に多くのパケットが必要である。信号の相互作用についての最悪のシナリオを設定する、例えばチャネル推定が確立された直後に信号電力を減らし、それにより更に多数の影響を受けた記号を作り出すことによって更なる試験効率を実現することができる。さもなければ、多くの連続したパケットを捕捉し、干渉源を明らかにするために捕捉後の解析を行うことなしに必要数の影響を受けた記号を確実に取得することは困難であり得る。
【００３１】
図５を参照し、一方の送信機が送信しているのと同時に他方が受信しているように複数のＤＵＴトランシーバが動作する例では、同時に送信される信号が干渉するために誤った受信機動作が生じることがあり得る。かかる干渉は、送信機及び受信機の同時動作中のパケット誤り率（ＰＥＲ）を評価することによって試験することができる。信号シーケンス５ａに示すように、かかる試験は、ＶＳＧが送信データパケットの始まり又は終わりにトリガすることを可能にするために、データパケットを送信する時間を整列させることによって実現され得る。図示のように、送信されるＤＵＴデータパケットの始まりは、第２のＤＵＴ受信機が受信するための受信データパケットＲＸ２をＶＳＧに送信させるようにＶＳＧをトリガする（２０１）。ＤＵＴが自らの受信確認ＡＣＫ２を送信するその後の時間間隔の間にテスタの第２のデータパケット送信ＴＸ１が行われる。その後、（さもなければ自らの受信確認ＡＣＫ２の送信によってＤＵＴチャネルが占有されていることにより）対応する受信動作ＲＸ２を発生させない介在ＤＵＴデータパケット送信ＴＸ１と共に、別のトリガ事象２０２が続く。
【００３２】
通常、データパケットの開始のトリガ間には、内部遅延による並びに送信データパケットの信号電力の円滑な増減を確実にするための僅かな遅延が存在する。データパケット送信動作の始まりは最大の電源電流が消費される可能性が高いときであり、受信データパケットの開始前又は開始時に起こる。受信機が必ずしもパケットの正確な始まりを検出する必要なくデータパケットを受信できることを確実にするために、受信データパケットのヘッダはデータ冗長性をしばしば含む。
【００３３】
信号シーケンス５ｂに示すように、受信されるＶＳＧデータパケット送信ＲＸ２を遅延トリガ２０３、２０４に従って遅らせて、ＤＵＴデータパケット送信ＴＸ１が次に受信されるＶＳＧデータパケット送信ＲＸ２と相互作用することを確実にすることにより、そのように増加した電源電流消費量に由来する任意の悪影響を試験が捕捉することを確実にし得る。
【００３４】
信号シーケンス５ｃに示すように、かかる遅延は、図示のように遅延トリガ２０５、２０６を使用してＤＵＴデータパケット送信ＴＸ１の終わりにトリガすることによって実現することもできる。
【００３５】
信号シーケンス５ｄに示すように、テスタは、ＤＵＴデータパケット送信ＴＸ１の始まりをテスタデータパケットＲＸ２の受信に対する別の位置に移動することによって遅延を制御することもできる。このことはＤＵＴデータパケット送信のデューティサイクルが一定だという仮定に基づき、そのためテスタデータパケットＲＸ２の予期されるその後の受信との相互作用を制御するために、前のＤＵＴデータパケット送信ＴＸ１を使用する。しかし、データパケット間のより長い遅延２０８によって示すようにデューティサイクルが一定ではない場合、信号が相互作用する、即ち同時である時間間隔が一貫していない可能性があり、従って再現可能な試験結果を作り出さない場合がある。
【００３６】
図６を参照し、ＤＵＴの応答性の受信確認信号ＡＣＫを使用して干渉する送信信号ＡＣＫ１、ＡＣＫ２を作り出すことにより、試験の一貫性及び再現性の更なる改善を実現することができる。該当するＩＥＥＥ標準に基づいてこれらのＡＣＫ信号の相対的なタイミングは明確に定められており且つ再現可能であり、それにより、各ＤＵＴ受信機に試験データパケットを送信して対応する応答性の受信確認信号ＡＣＫを引き出すために自らのデータパケット信号源（例えばＶＳＧ）を使用するテスタが試験のタイミングを制御することを可能にする。これらの試験データパケットの発生及び持続時間のタイミングを取ることにより、テスタは、受信確認信号ＡＣＫを試験目的で干渉させることが望ましいＤＵＴの受信動作ＲＸ１のタイミングに対して時間の点で移動させるやり方で受信確認応答ＡＣＫを送信させることができる。かかる移動は、概して受信動作の全持続時間を通して受信−送信ＲＸ／ＴＸ干渉が生じることを確実にする。かかる干渉の発生は、どの試験データパケットが受信確認パケットＡＣＫを作り出し、どの試験データパケットが受信確認パケットＡＣＫを作り出さないのかをモニタすることでテスタによってモニタされ得る。
【００３７】
信号シーケンス６ａに示すように、例えば第２のＤＵＴ受信機の動作ＲＸ２中にテスタからの試験データパケットが受信された後、第１のＤＵＴ受信機の動作ＲＸ１中にテスタからの別の試験データパケット信号が受信されている。従って、第２のＤＵＴ受信機の動作ＲＸ２は、その対応する送信機に自らの受信確認ＡＣＫ２を用いて応答させ、受信確認ＡＣＫ２は第１のＤＵＴ受信機の動作ＲＸ１の後の部分と同時である（３０１）。このことは、送信されるＤＵＴ信号である受信確認ＡＣＫ２と第１のＤＵＴ受信機ＲＸ１の動作との同時発生をもたらす。その後、第１のＤＵＴ受信機の動作ＲＸ１中に受信されるテスタからの試験データパケットに応答し、その対応する送信機が、第２のＤＵＴ受信機の動作ＲＸ２の先行部分と同時である（３０２）受信確認ＡＣＫ１で応答する。
【００３８】
ＤＵＴ受信機によってテスタから所定数の試験データパケットを受信した後、テスタは自らの試験データパケット送信の開始時間を変更することができ、それによりかかる試験データパケットと、その結果生じる受信確認ＡＣＫ１、ＡＣＫ２との同時発生が様々な時間間隔において生じる。かかる開始時間の変更は、概してＤＵＴ受信機ＲＸ１、ＲＸ２の動作のそれぞれの持続時間の全体を通し、ＤＵＴ受信機ＲＸ１、ＲＸ２の動作に対する受信確認信号ＡＣＫの同時発生があるまで繰り返すことができる。全ての信号のタイミングはテスタによって又はテスタから制御され得るので、そのような最悪のシナリオが確立されると、そのシナリオを将来の試験のためにレプリケートすることができる。
【００３９】
更に信号シーケンス６ａに示すように、第２の試験データパケットを受信するための第２のＤＵＴ受信機ＲＸ２の動作後、受信確認信号ＡＣＫが生じていないことが見て取れる。この誤り、即ち受信確認ＡＣＫを作り出せないことの表れは、第１のＤＵＴ送信機が受信確認ＡＣＫ１を生成する試験データパケット信号のその部分の間、第２のＤＵＴ受信機のＰＥＲが規定の上限を上回った可能性があることを示すパケット誤り率（ＰＥＲ）計算の一部になり得る。タイミングを正確に制御することにより、ＰＥＲの変化を容易に試験するために最悪の試験シナリオが作成され再現されることを確実にし得る。
【００４０】
信号シーケンス６ｂに示すように、ほぼ同じデータパケットの持続時間を使用することができる。図示のように、対応する応答ＡＣＫ１、ＡＣＫ２が時間の点で移動し、それにより第１のＤＵＴ受信機ＲＸ１及び第２のＤＵＴ受信機ＲＸ２の動作の全持続時間を通してかかる受信確認ＡＣＫ１、ＡＣＫ２が概して同時発生するように、第１のＤＵＴ受信機ＲＸ１及び第２のＤＵＴ受信機ＲＸ２の動作中に受信するためのテスタからの試験データパケット信号のデューティサイクルを決めることができる。従って信号シーケンス６ａに示したように試験データパケットの開始時間を変えるのではなく、様々な試験データパケットの持続時間を使用して受信動作と送信される受信確認応答ＡＣＫとの包括的な同時性を実現することができる。（上記で論じた最悪の試験シナリオと異なり、この形態は「ランダム化」ＰＥＲ試験結果を作り出す。）
【００４１】
図７を参照し、データパケット長の違い又は相対的遅延の違いを使用して単一のＰＥＲ試験操作を両方の試験データパケット源（例えばＶＳＧ）に行わせるために、図６の信号シーケンスの代替策として反復トリガ事象４０１を使用することができる。
【００４２】
信号シーケンス７ａに示すように、短い方のデータパケットの受信確認ＡＣＫと他方のＤＵＴ受信機の動作との間の反復的な相互作用、即ち同時性を作り出すために、異なるデータパケット長を使用することができる。この形態は、各トリガ事象に由来する再現可能な動作を可能にする。
【００４３】
信号シーケンス７ｂに示すように、代わりに試験データパケットシーケンスの１つに遅延４０３を取り入れることにより、相互作用（同時性）のタイミング又は時間に関する位置を制御することができる。更に図示のように、この形態は全体的な試験時間を短縮するために試験データパケットの持続時間を制御することと組み合わせることもできる。
【００４４】
図８を参照し、図６及び図７の信号シーケンスについて上記で論じた技法を拡張して、ＤＵＴ送信機の動作間の制御された相互作用を発生させることができる。例えば、上記で論じたような従来の送信データパケット（図１）を利用するのではなく、ＤＵＴによって送信される受信確認信号ＡＣＫ１、ＡＣＫ２間の相互作用（同時性）は所望の送信−送信相互作用をもたらし得る。テスタの受信機（例えばＶＳＡ）によって受信される受信確認パケットＡＣＫを整列させ、より強い信号電力を使用することにより、受信確認ＡＣＫ１、ＡＣＫ２を完全に同時にすることができる（５０１）。或いは、テスタのデータパケットを互いに対して時間の点で移動することにより、又はデータパケット長を制御することにより、受信確認ＡＣＫ１、ＡＣＫ２を重複させることができ（５０２）、それによりテスタがそれらの相互作用の任意の効果をより完全に評価することを可能にする。
【００４５】
本発明の範囲及び趣旨から逸脱することなしに本発明の構造及び動作方法の他の様々な修正形態及び代替形態が当業者に明らかになる。本発明を好ましい具体的実施形態に関して説明してきたが、特許請求の範囲に記載の本発明は、かかる具体的実施形態に不当に制限されるべきではないことを理解すべきである。添付の特許請求の範囲は本発明の範囲を定め、それらの請求項及びその等価物の範囲に含まれる構造及び方法が特許請求の範囲によって保護されることを意図する。
【図１】
2019502308.tif 000003
【図２】
2019502308.tif 000004
【図３】
2019502308.tif 000005
【図４】
2019502308.tif 000006
【図５】
2019502308.tif 000007
【図６】
2019502308.tif 000008
【図７】
2019502308.tif 000009
【図８】
2019502308.tif 000010
【国際調査報告】
2019502308.tif 000011
2019502308.tif 000012